(57)【要約】【課題】気温が上昇する時期に、冷房を使用しない室内で扇風機などを利用して過ごす時や、オートバイでの走行やスポーツ、レジャーなどさまざまな屋外活動をするときに、体温の上昇を抑制し、身体を冷却することが出来る水冷式冷却ウェアを提供する。【解決手段】図１のアウター生地１１に水道水などで水分を供給してインナーウ生地１２の上から図１のアウターウ生地１１を着用し、図１のアウターウ生地１１に含まれた水分が風を受けることで、図１の水分を含んだアウターウ生地１１が空気に接触して水分が気化され、気化熱により体温上昇を抑制する水冷式冷却ウェアである。【選択図】図１
2012046860.tif 000002
【特許請求の範囲】
【請求項１】
アウター生地とインナー生地との複層からなる水冷式冷却ウェアであって、前記アウター生地は水分を給水保水する性質を有する素材からなり、前記インナー生地は通気性があり、透湿性がないことを特長とする素材からなり、前記アウター生地とインナー生地に係止部分を設けて重ねることにより風を受けることで気化熱により前記水冷式冷却ウェアの温度を低下させることを特徴とする水冷式冷却ウェア。
【請求項２】
請求項１においてアウター生地とインナー生地の係止部は縫い合わせ、ボタン、ホック、面ファスナー、ファスナーなどのうちひとつ或いはそれらの組合せからなることにより一体型にすることも可能な水冷式冷却ウェア。
【請求項３】
請求項１又は請求項２において、インナー生地をアウター生地で挟み込んで両面の係止部は縫い合わせて三層構造にし、少なくとも両肩部分に水分注入口を設けることを特徴とする水冷式冷却ウェア。
【発明の詳細な説明】
【技術分野】
【０００１】本発明は、気温が上昇する時期に、体温上昇を抑制することができる水冷式冷却ウェアに関するものである。
【背景技術】
【０００２】従来、体温上昇を抑制する手段としては冷却体を衣服に装着したり、吸水性布地に水を保水させ首部などに巻くなど部分的なものであるが、ウェア生地に水分を保水させ、上半身を冷却し体温上昇を抑制するものではなかった。
【先行技術文献】
【特許文献】
【０００３】
【特許文献１】特開２０００−９６３１３
【発明の概要】
【発明が解決しようとする課題】
【０００４】しかしながら、アウター生地とインナー生地を重ね合せることにより、上半身の体温上昇を抑制し冷却効果を得られるウェアは従来、提案されていなかった。【０００５】本発明は、気温が上昇する時期において体温上昇を効果的に抑制するウェアを提供することを目的とする。
【課題を解決するための手段】
【０００６】上記目的を達成するために本発明は、アウター生地とインナー生地からなる水冷式冷却ウェアであって、前記アウター生地は水分を給水保水する性質を有する素材からなり、前記インナー生地は通気性があり透湿性のないことを特長とする素材からなり、前記アウター生地とインナー生地に係止部分を設けて重ねることにより風を受けることで気化熱により前記水冷式冷却ウェアの温度を低下させることを特徴とする水冷式冷却ウェアを提供する。【０００７】さらには、本発明の請求項１においてアウター生地とインナー生地の係止部は縫い合わせることにより一体型にすることも可能な水冷式冷却ウェアである。【０００８】又、本発明の請求項１又は請求項２において、アウター生地をインナー生地で挟み込んで両面を縫い合わせ、三層構造にし、少なくとも両肩部分に水分注入口を設けることが可能である。
【発明の効果】
【０００９】本発明に係る水冷式冷却ウェアは、気温が上昇する時期に、保水性があるアウター生地と、通気性があり透湿性のないインナー生地を重ね着することにより、屋外で受ける風や、冷房を使用しない屋内においては、扇風機などの風を受けることで気化熱により上半身の体温上昇を抑制することができる。また、アウター生地は水道水などで補水することにより繰り返し容易に使用することが可能である。
【図面の簡単な説明】
【００１０】
【図１】本発明の一実施形態である水冷式冷却ウェアの説明図
【図２】本発明の一実施形態であるアウター生地とインナー生地を縫い合わせ係止部を設けた一体型ウェの説明図
【図３】本発明の一実施形態である水冷式冷却のアウター生地をインナー生地で挟み込んで両面を縫い合わせ係止部を設け、三層構造にした説明図
【図４】本発明の図３の断面図
【符号の説明】
【００１１】１    水冷式冷却ウェア
１１  アウター生地
１２  インナー生地
１３  係止部材
１４  面ファスナー
２    一体型水冷式冷却ウェア
２１  アウター生地とインナー生地の係止部
３    三層構造水冷式冷却ウェア
３１  水分注入口
３２  ファスナー
４    図３の断面図
４１  アウター生地
４２  インナー生地
【発明を実施するための形態】
【００１２】以下に図面を参照して、発明の実施形態について説明する。
本発明は下記実施形態限定されるものではない。図１は本発明に係る一実施形態例として示すものである。
【００１３】まず図１の水冷式冷却ウェア１のアウター生地１１は給水保水性にある繊維状の素材で構成され、更に保水性を高めるために例えば綿生地などを肩部、胸部、背部などに二重、三重にして縫い合わせることも可能である。
【００１４】次に、図１の水冷式冷却ウェア１のインナー生地１２は撥水性生地で通気性もあり、水分を含んだアウター生地１１の水分を吸収したり、透湿性のない素材である。又、水蒸気を拡散させる為には、ひとつ以上の換気孔等を設けることも可能である。
【００１５】次に図１に係る水冷式冷却ウェア１の使用方法は、図１のアウター生地１１全体に水道水などで水が滴り落ちない程度に給水し、図１のインナー生地１２に重ね着し、屋外の風や冷房を使用しない室内では扇風機などの風を受けることで、図１のアウター生地１１の水分が気化され気化熱により身体を冷却し体温の上昇を抑制することができる。
【００１６】又、アウター生地１に給水された水分が下降することがありえるため、水垂防止対策として、図１のアウター生地１１を肋骨より上部まで捲り上げ、図１の係止部分１４を縦方向に設け固定する。又、アウター生地の袖丈は手首より上の部分にする。
【００１７】さらに背部の両脇にも着用者自自身で簡単に固定できる部位に係止部分を設けることも可能で、係止部材は面ファスナーなどでもよい。
【００１８】例えばバイクウェアとして使用する場合は、両肩、両肘、胸部、背部などにプロテクターを装着することで、身体保護の役割を果たすことができる。
【００１９】又、図２に係わる水冷式冷却ウェア２はアウター生地とインナー生地の係止部２１のように縫い合わせることにより一体型にすることも可能である。
【００２０】さらに、図３の水冷式冷却ウェアは、図４の断面図４で示すインナー生地４２をアウター生地４１で挟み込んで両面を縫い合わせ、三層構造にして少なくとも両肩部分に水分注入口を設けることが可能である。又、防水ファスナー３２などを設けることも可能である。
【００２１】本発明の水冷式冷却ウェアによれば、前期実施形態に限定されるのみではなく図１、図２、図３の水冷式冷却ウェアは長袖タイプとされているが、半袖もしくはノースリーブタイプも可能で前部をファスナーなどにすることもできる。さらには手袋、ズボン、フェイスマスク、靴下、帽子、ヘルメット装着、その他さまざまな応用が可能でその他の構成についても本発明の要旨を逸脱しない範囲で種々変更して差し支えない。
【図１】
2012046860.tif 000003
【図２】
2012046860.tif 000004
【図３】
2012046860.tif 000005
【図４】
2012046860.tif 000006